(57)【要約】【課題】基材を何らかの物品に貼り付けた面に接触する基材の裏面側においても光触媒機能が発揮する構成とすることによって、脱臭、殺菌、抗菌、防汚等の効果を発揮することができるようにした光触媒機能を有する貼付体を提供する。【解決手段】光触媒機能を有する貼付体において、貼付体を構成する基材の裏面側に光触媒粒子を含有した糊からなる粘着層を設けた構成とする。また、基材の裏面側に光触媒粒子を含有した糊からなる粘着層を設けると共に、基材の表面側に光触媒粒子を含有した光触媒層又は光触媒膜を設けた構成としてもよい。【選択図】図１
2015131448.tif 000002
【特許請求の範囲】
【請求項１】
光触媒機能を有する貼付体において、貼付体を構成する基材の裏面側に光触媒粒子を含有した糊からなる粘着層を設けたことを特徴とする光触媒機能を有する貼付体。
【請求項２】
基材の裏面側に光触媒粒子を含有した糊からなる粘着層を設けると共に、基材の表面側に光触媒粒子を含有した光触媒層又は光触媒膜を設けたことを特徴とする請求項１記載の光触媒機能を有する貼付体。
【請求項３】
前記光触媒層は、光触媒粒子を練り込んだインクを使って前記基材に印刷することで形成される印刷層であることを特徴とする請求項２記載の光触媒機能を有する貼付体。
【請求項４】
光触媒粒子を含まないインクを使って前記基材の表面側に印刷層を形成し、その印刷層を覆うように光触媒粒子を練り込んだ透明インクを使って基材全体にベタ印刷して光触媒層である印刷層を形成したことを特徴とする請求項２記載の光触媒機能を有する貼付体。
【請求項５】
前記光触媒膜は、光触媒粒子を練り込んだ水性又はＵＶ硬化性のシリコーン又はニスを前記基材の表面にコーティング処理して固定化したコーティング膜であることを特徴とする請求項２記載の光触媒機能を有する貼付体。
【請求項６】
光触媒粒子を含まないインクを使って前記基材の表面側に印刷層を形成し、その印刷層を覆うように光触媒粒子を練り込んだ水性又はＵＶ硬化性のシリコーン又はニスを使って基材全体にコーティング処理して固定化し、光触媒膜であるコーティング膜を形成したことを特徴とする請求項２又は５記載の光触媒機能を有する貼付体。
【請求項７】
前記光触媒層又は光触媒膜、前記基材及び前記粘着層の全部を貫通する貫通孔を貼付体全体に設けたことを特徴とする請求項１〜６のいずれかに記載の光触媒機能を有する貼付体。
【発明の詳細な説明】
【技術分野】
【０００１】
本発明は、脱臭、殺菌、抗菌、防汚等の光触媒機能を有する貼付体に関する。
【背景技術】
【０００２】
従来から、脱臭、殺菌、抗菌、防汚等の光触媒機能を有する貼付体に関する技術が開発されている。このような光触媒機能を有する貼付体は、様々な環境において、所望箇所に容易に貼り付けることができ、その貼り付けた箇所の脱臭、殺菌、抗菌、防汚等を行うことが可能であるため、電子機器のディスプレイ面や衛生用品等への広範囲にわたる応用が可能とされている。
【０００３】
ここで、上記の光触媒機能を有する貼付体に関する文献を参照する。
【０００４】
特許文献１に記載されている貼付用光触媒体は、酸化亜鉛微粒子層を表面に固定している金属基体層と、その内側に存在する接着層と、裏面の剥離層とを有するものであり、この貼付用光触媒体によって殺菌、防臭、防汚を可能とするものである。
【０００５】
また、特許文献２に記載されている防曇シールは、樹脂シートの裏面側に接着剤層が設けられ、樹脂シート内に光触媒粒子とアルカリ金属を含有したものであり、この防曇シールを、鏡、窓ガラス、ゴーグル等の表面に貼着することで防曇効果を発揮するようにしたものである。
【０００６】
また、特許文献３に記載されている電磁シールド透明体は、透明光触媒層が表側になるようにして電磁シールド透明体を携帯電話用ディスプレイ表面に貼り付けることによって、ディスプレイ表面の手垢等を分解し、常にクリーンな状態にすることを可能としたものである。
【０００７】
さらに、特許文献４に記載されている両面印刷シールは、外出面（最表面）を光触媒層としたものであり、この両面印刷シールをガラスの外側に貼着し、両面からそれぞれの印刷面を見ることができるようにしたものである。
【０００８】
しかしながら、上記の特許文献１〜４の技術は、いずれも基材の外側に光触媒層を設けた構成であり、光触媒層は基材側に接触することがなく、基材から離れた外側表面の光触媒層に接触した菌のみが分解されるため、光触媒機能が十分に発揮されるものではなかった。
【０００９】
また、いずれの貼付体であっても、貼り付ける面に対しては、光触媒機能の効果が全く作用しないものであり、貼り付け面に予め菌が付着していた場合、貼付体がその菌を覆ってしまい、基材と貼付体との間に菌が温存されるという不都合が生じる。
【先行技術文献】
【特許文献】
【００１０】
【特許文献１】特許第２９１１０２１号公報
【特許文献２】特許第３１２７８２７号公報
【特許文献３】特開２００４−１７９４０５号公報
【特許文献４】特開２００７−２１９３３１号公報
【発明の概要】
【発明が解決しようとする課題】
【００１１】
本発明は上記の事情に鑑みてなされたものであり、基材を何らかの物品に貼り付けた面に接触する基材の裏面側においても光触媒機能が発揮する構成とすることによって、脱臭、殺菌、抗菌、防汚等の効果を発揮することができるようにした光触媒機能を有する貼付体を提供することを目的とする。
【課題を解決するための手段】
【００１２】
上記の目的を達成するために、本発明における請求項１の光触媒機能を有する貼付体は、光触媒機能を有する貼付体において、貼付体を構成する基材の裏面側に光触媒粒子を含有した糊からなる粘着層を設けたことを特徴とする。
【００１３】
また、本発明における請求項２の光触媒機能を有する貼付体は、請求項１において、基材の裏面側に光触媒粒子を含有した糊からなる粘着層を設けると共に、基材の表面側に光触媒粒子を含有した光触媒層又は光触媒膜を設けたことを特徴とする。
【００１４】
また、本発明における請求項３の光触媒機能を有する貼付体は、請求項２において、前記光触媒層は、光触媒粒子を練り込んだインクを使って前記基材に印刷することで形成される印刷層であることを特徴とする。
【００１５】
また、本発明における請求項４の光触媒機能を有する貼付体は、請求項２において、光触媒粒子を含まないインクを使って前記基材の表面側に印刷層を形成し、その印刷層を覆うように光触媒粒子を練り込んだ透明インクを使って基材全体にベタ印刷して光触媒層である印刷層を形成したことを特徴とする。
【００１６】
また、本発明における請求項５の光触媒機能を有する貼付体は、請求項２において、前記光触媒膜は、光触媒粒子を練り込んだ水性又はＵＶ硬化性のシリコーン又はニスを前記基材の表面にコーティング処理して固定化したコーティング膜であることを特徴とする。
【００１７】
また、本発明における請求項６の光触媒機能を有する貼付体は、請求項２又は５において、光触媒粒子を含まないインクを使って前記基材の表面側に印刷層を形成し、その印刷層を覆うように光触媒粒子を練り込んだ水性又はＵＶ硬化性のシリコーン又はニスを使って基材全体にコーティング処理して固定化し、光触媒膜であるコーティング膜を形成したことを特徴とする。
【００１８】
さらに、本発明における請求項７の光触媒機能を有する貼付体は、請求項１〜６のいずれかにおいて、前記光触媒層又は光触媒膜、前記基材及び前記粘着層の全部を貫通する貫通孔を貼付体全体に設けたことを特徴とする。
【発明の効果】
【００１９】
本発明の光触媒機能を有する貼付体は、貼付体を構成する基材の裏面側に光触媒粒子を含有した糊からなる粘着層を設けた構成とすることによって、何らかの物品の貼り付け面に接触する側に光触媒粒子を含有した糊からなる粘着層が形成されることになる。
【００２０】
従って、本発明の貼付体を、既に菌が付着している面に貼り付けた場合でも、粘着層の糊に含まれる光触媒粒子によって菌が分解されるため、従来は不可能であった、汚れている面に対する脱臭、殺菌、抗菌、防汚等の光触媒機能を発揮することが可能となる。
【００２１】
このため、本発明による貼付体を、電子機器等のディスプレイ面やガラス面等に貼り付けることによって、脱臭、殺菌、抗菌、防汚等を発揮するクリーンな面を維持することが可能となり、殺菌及び抗菌効果が要求される医療や介護等の現場においても有益な光触媒機能を有する貼付体を得ることが可能となる。更に、被貼付体である透明ガラス等に紫外線が通るように貼り付けることにより、内側から脱臭、殺菌、抗菌、防汚等の効果を発揮することが可能となる。
【図面の簡単な説明】
【００２２】
【図１】（ａ）〜(ｃ)は、本発明による実施例１の光触媒機能を有する貼付体の各種形態を示す断面図である。
【図２】（ａ）〜(ｃ)は、本発明による実施例２の光触媒機能を有する貼付体の各種形態を示す断面図である。
【発明を実施するための形態】
【００２３】
以下、本発明の実施形態について図面を参照しながら説明する。
【００２４】
本発明の光触媒機能を有する貼付体は、図１（ａ）〜(ｃ)及び図２（ａ）〜(ｃ)に示すように、光触媒機能を有する貼付体において、貼付体を構成する基材の裏面側に光触媒粒子を含有した糊からなる粘着層を設けた構成としたものである。
【００２５】
以下に説明する貼付体は、上記の構成を基本的構成として、大きく２種のタイプに分類することができる。即ち、図１(ａ)〜(ｃ)に示すように、基材の最外層に光触媒層を設けた実施例と、図２（ａ）〜(ｃ)に示すように、基材の最外層に光触媒膜を設けた実施例に分類することができる。
【００２６】
以下、図１(ａ)〜(ｃ)に示す貼付体を実施例１とし、図２（ａ）〜(ｃ)に示す貼付体を実施例２として説明する。
【実施例１】
【００２７】
図１（ａ）に示す貼付体１Ａは、基材２の表面側に光触媒粒子３を練り込んだインクを用いて印刷層５を形成すると共に、基材２の裏面側に光触媒粒子３を練り込んだ糊６を用いて粘着層７を形成した構成を有する。
【００２８】
従って、この貼付体１Ａにおいては、印刷層５が光触媒層８として機能する。この印刷層５は、基材２の表面に形成される画像や文字を表すものであり、その形や大きさ等は任意である。また、印刷層５を形成するインクは、透明色、又は透明色に何らかの色彩を混入した透光性のシリコーンインク等を使用することが可能である。
【００２９】
上記の構成において、光触媒層８である印刷層５を形成するインクに練り込まれた光触媒粒子３、或いは粘着層７を形成する糊６に練り込まれた光触媒粒子３としては、光触媒活性を示す光触媒体としての応用が確認されている酸化チタンや酸化亜鉛等を使用すると良い。
【００３０】
この光触媒粒子３に太陽光等の紫外線が照射されることによって菌や有機物を分解する力が増強されることによって、優れた吸着力を発揮し、菌や有機物等の汚れを除去することが可能となる。
【００３１】
従って、本実施例の粘着層７は、ホットメルト、水系、溶剤等を混入した糊成分に光触媒粒子３を混入して、基材２の裏面側にコーティングすることにより形成するとよい。
【００３２】
また、基材２を形成する材料としては、紙やフィルム等が使用可能であるが、この基材２を透明フィルム等のような材料で形成し、粘着層７で被貼付体４に貼着すると、紫外線が基材２を透過して粘着層７の光触媒粒子３に照射され、基材２の表面側だけではなく、基材２の裏側の粘着層７に接触する被貼付体４の表面に付着した菌や有機物等の汚れを除去することが可能となる。
【００３３】
次に、図１(ｂ)に示す貼付体１Ａの基材２の表面に形成した任意形状の印刷層５は、図１(ａ)の印刷層５とは異なり、一般に使用されるインクで形成した印刷層５として形成してあり、この任意形状の印刷層５の上部を覆うように光触媒粒子３を練り込んだ透明なインクを用いて基材２の表面側の全体を覆う印刷層９を形成している。なお、この図１(ｂ)に示す貼付体１Ａにおいて、基材２や粘着層７は上記の図１（ａ）に示すものと同様である。
【００３４】
従って、この図１(ｂ)に示す貼付体１Ａの場合、基材２を透明フィルムで形成すると、太陽光等の紫外線が透明インクで形成した光触媒層８である印刷層９を透過すると共に、基材２の裏面の粘着層７を透過して、粘着層７に含有された光触媒粒子３を照射する。これにより、基材２の表面側だけではなく、基材２の裏側の粘着層７に接触する被貼付体４の表面に付着した菌や有機物等の汚れを除去することが可能となる。
【００３５】
さらに、図１(ｃ)に示す貼付体１Ａは、上記の図１(ｂ)に示す貼付体１Ａの印刷層９（光触媒層８）、印刷層５、基材２及び粘着層７と同様の構成を有するが、これらの印刷層９（光触媒層８）、基材２及び粘着層７の全部を貫通する内径が１ｍｍ以上の複数の貫通孔１２を貼付体１Ａ全体に設けた構成としている。このような構成によれば、外方からの紫外線が各貫通孔１２を経て基材２の裏面側に到るため、貼付体１Ａの印刷層９及び基材２の透光性の有無にかかわらず、外方から照射された紫外線が複数の貫通孔１２を通過して、基材２の裏側に到ることとなる。これによって、被貼付体４の表面側に到達する紫外線透過量が増加するため、菌を分解し、吸着する面積が増加し、基材２の裏面側の菌や有機物等の汚れを除去する効果がより増大する。
【実施例２】
【００３６】
図２（ａ）に示す貼付体１Ｂは、基材２の表面側に光触媒粒子３を練り込んだ水性又はＵＶ硬化性のシリコーン又はニスを用いて基材２の表面にコーティング処理して固定化することによって、光触媒膜１０であるコーティング膜１１を形成したものである。また、基材２の材料や基材２の裏面側に形成した粘着層７は実施例１と同様であり、本実施例においても、基材２の裏面側に光触媒粒子３を練り込んだ糊６を用いて粘着層７を形成した構成としている。
【００３７】
また、上記の光触媒膜１０（コーティング膜１１）に練り込まれた光触媒粒子３、或いは粘着層７を形成する糊６に練り込まれた光触媒粒子３を用いると良い。
【００３８】
従って、図２（ａ）に示す貼付体１Ｂにおいて、基材２を透明フィルム等のように透光性を有する材料で形成することにより、紫外線が基材２を透過して粘着層７の光触媒粒子３を照射することによって、基材２の表面側だけではなく、基材２の裏面側の粘着層７に接触した被貼付体４の表面の菌や有機物等の汚れを効率的に除去することが可能となる。
【００３９】
次に、図２(ｂ)に示す貼付体１Ｂは、上記の図２（ａ）に示す基材２の表面側に任意の形状の印刷層５を形成し、この印刷層５を覆うように、基材２の表面に光触媒膜１０（コーティング膜１１）を形成したものである。このような構成において、任意形状の印刷層５は、図１(ｂ)と同様に、一般のインクで形成した印刷層５として形成し、この任意形状の印刷層５の上部を覆うコーティング膜１１として、光触媒粒子３を練り込んだ水性又はＵＶ硬化性のシリコーン又はニスを用いてコーティング処理し、固定化している。
【００４０】
また、この図２(ｂ)に示す貼付体１Ｂの基材２や粘着層７は、上記の図２（ａ）に示すものと同様の光触媒粒子３を使用すると良い。
【００４１】
従って、この図２(ｂ)に示す貼付体１Ｂの場合、基材２を透明フィルムで形成すると、太陽光等の紫外線が光触媒膜１０（コーティング膜１１）を透過すると共に、基材２の裏面の粘着層７を透過し、粘着層７に含有された光触媒粒子３を照射することによって、基材２の表面側だけではなく、基材２の裏面側の粘着層７に接触した被貼付体４の表面の菌や有機物等の汚れを効率的に除去することが可能となる。
【００４２】
さらに、図２(ｃ)に示す貼付体１Ｂは、上記の図２(ｂ)に示す光触媒膜１０であるコーティング膜１１、印刷層５、基材２及び粘着層７もまた同様の構成を有するが、これらのコーティング膜１１、基材２及び粘着層７の全部を貫通する複数の貫通孔１２を貼付体１Ｂ全体に設けた構成としている。このような構成により、外方から照射された紫外線が複数の貫通孔１２を通過し、被貼付体４の表面側に到達する紫外線透過量が増加するため、菌を分解し、吸着する面積が増加し、基材２の裏面側の菌や有機物等の汚れを除去する効果がより増大することとなる。
【００４３】
なお、本実施例においても、外方からの紫外線が各貫通孔１２を経て基材２の裏面側に到るため、貼付体１Ｂの印刷層９及び基材２の透光性の有無にかかわらず、外方から照射された紫外線が複数の貫通孔１２を通過して、基材２の裏側に到ることとなり、基材２の裏面側の菌や有機物等の汚れを除去することが可能である。
【産業上の利用可能性】
【００４４】
本発明の光触媒機能を有する貼付体は、基材を何らかの物品に貼り付けた面に接触する基材の裏面側においても光触媒機能が発揮する構成とすることによって、脱臭、殺菌、抗菌、防汚等の効果を発揮することができるようにした光触媒機能を有する貼付体として利用可能である。
【符号の説明】
【００４５】
１Ａ  貼付体
１Ｂ  貼付体
２  基材
３  光触媒粒子
４  被貼付体
５  印刷層（任意形状の印刷層）
６  糊
７  粘着層
８  光触媒層
９  印刷層（基材を覆う印刷層）
１０  光触媒膜
１１  コーティング膜
１２  貫通孔
【図１】
2015131448.tif 000003
【図２】
2015131448.tif 000004
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒層は、光触媒粒子を練り込んだインクを使って基材に印刷することで形成される印刷層であることを特徴とする光触媒機能を有する貼付体。
【請求項２】
光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒粒子を含まないインクを使って基材の表面側に印刷層を形成し、その印刷層を覆うように光触媒粒子を練り込んだ透明インクを使って基材全体にベタ印刷して光触媒層である印刷層を形成したことを特徴とする光触媒機能を有する貼付体。
【請求項３】
光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒膜は、光触媒粒子を練り込んだ水性又はＵＶ硬化性のシリコーン又はニスを基材の表面にコーティング処理して固定化したコーティング膜であることを特徴とする光触媒機能を有する貼付体。
【請求項４】
光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒粒子を含まないインクを使って基材の表面側に印刷層を形成し、その印刷層を覆うように光触媒粒子を練り込んだ水性又はＵＶ硬化性のシリコーン又はニスを使って基材全体にコーティング処理して固定化し、光触媒膜であるコーティング膜を形成したことを特徴とする光触媒機能を有する貼付体。
【請求項５】
光触媒層又は光触媒膜、基材及び粘着層の全部を貫通する貫通孔を貼付体全体に設けたことを特徴とする請求項１〜４のいずれかに記載の光触媒機能を有する貼付体。
【手続補正２】
【補正対象書類名】明細書
【補正対象項目名】００１２
【補正方法】変更
【補正の内容】
【００１２】
上記の目的を達成するために、本発明における請求項１の光触媒機能を有する貼付体は、光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒層は、光触媒粒子を練り込んだインクを使って基材に印刷することで形成される印刷層であることを特徴とする。
【手続補正３】
【補正対象書類名】明細書
【補正対象項目名】００１３
【補正方法】変更
【補正の内容】
【００１３】
また、本発明における請求項２の光触媒機能を有する貼付体は、光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒粒子を含まないインクを使って基材の表面側に印刷層を形成し、その印刷層を覆うように光触媒粒子を練り込んだ透明インクを使って基材全体にベタ印刷して光触媒層である印刷層を形成したことを特徴とする。
【手続補正４】
【補正対象書類名】明細書
【補正対象項目名】００１４
【補正方法】変更
【補正の内容】
【００１４】
また、本発明における請求項３の光触媒機能を有する貼付体は、光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒膜は、光触媒粒子を練り込んだ水性又はＵＶ硬化性のシリコーン又はニスを基材の表面にコーティング処理して固定化したコーティング膜であることを特徴とする。
【手続補正５】
【補正対象書類名】明細書
【補正対象項目名】００１５
【補正方法】変更
【補正の内容】
【００１５】
また、本発明における請求項４の光触媒機能を有する貼付体は、光触媒機能を有する貼付体において、貼付体を構成する基材の裏面側に光触媒粒子を含有した糊からなる粘着層を設けると共に、基材の表面側に光触媒粒子を含有した光触媒層又は光触媒膜を設け、光触媒粒子を含まないインクを使って基材の表面側に印刷層を形成し、その印刷層を覆うように光触媒粒子を練り込んだ水性又はＵＶ硬化性のシリコーン又はニスを使って基材全体にコーティング処理して固定化し、光触媒膜であるコーティング膜を形成したことを特徴とする。
【手続補正６】
【補正対象書類名】明細書
【補正対象項目名】００１６
【補正方法】変更
【補正の内容】
【００１６】
また、本発明における請求項５の光触媒機能を有する貼付体は、請求項１〜４のいずれかにおいて、光触媒層又は光触媒膜、基材及び粘着層の全部を貫通する貫通孔を貼付体全体に設けたことを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】